【手続補正書】
【提出日】平成23年9月28日(2011.9.28)
【手続補正１】
【補正対象書類名】特許請求の範囲
【補正対象項目名】全文
【補正方法】変更
【補正の内容】
【特許請求の範囲】
【請求項１】
略長方形状に形成されて被取付面に取付可能な外側面を有する長板部およびこの外側面の裏側方向に向け前記長板部の短手方向両側に前記長板部の長手方向に沿って立設される２枚の板壁部を有する薄板状の筐体と、
前記長板部の前記外側面の裏側である内側面に設けられ照明光を発する薄型発光体と、
前記照明光が透光可能な窓部および前記２枚の板壁部の外側に並行に設けられる側壁部を有し前記筐体とともに短冊状の扁平薄箱形状をなして前記薄型発光体を収容可能に前記取付面を除く前記筐体の周囲を覆うカバー体と、を備え、
前記短冊状の一端側に位置する固定手段として、前記カバー体の長手方向一端側に位置する前記側壁部の一部に前記板壁部側に向けて突出する突条部をその線条方向が前記長板部の内側面の垂線に対して所定角度で傾斜するように設けるとともに、前記筐体の長手方向一端側に位置する前記板壁部の一部に前記突条部を係止可能な傾斜係止部を前記所定角度と同じ角度で傾斜するように設け、
前記固定手段による前記突条部および前記傾斜係止部が互いに係合することにより前記筐体の一端側と前記カバー体の一端側とが仮固定された後、前記筐体と前記カバー体とを本固定可能にする別の固定手段を、前記カバー体の他端側および前記筐体の他端側に設けることを特徴とする照明装置。
【請求項２】
略長方形状に形成されて被取付面に取付可能な外側面を有する長板部およびこの外側面の裏側方向に向け前記長板部の短手方向両側に前記長板部の長手方向に沿って立設される２枚の板壁部を有する薄板状の筐体と、
前記長板部の前記外側面の裏側である内側面に設けられ照明光を発する薄型発光体と、
前記照明光が透光可能な窓部および前記２枚の板壁部の外側に並行に設けられる側壁部を有し前記筐体とともに短冊状の扁平薄箱形状をなして前記薄型発光体を収容可能に前記取付面を除く前記筐体の周囲を覆うカバー体と、を備え、
前記短冊状の一端側に位置する固定手段として、前記筐体の長手方向一端側に位置する前記板壁部の一部に前記側壁部側に向けて突出する突条部をその線条方向が前記長板部の内側面の垂線に対して所定角度で傾斜するように設けるとともに、前記カバー体の長手方向一端側に位置する前記側壁部の一部に前記突条部を係止可能な傾斜係止部を前記所定角度と同じ角度で傾斜するように設け、
前記固定手段による前記突条部および前記傾斜係止部が互いに係合することにより前記筐体の一端側と前記カバー体の一端側とが仮固定された後、前記筐体と前記カバー体とを本固定可能にする別の固定手段を、前記カバー体の他端側および前記筐体の他端側に設けることを特徴とする照明装置。
【請求項３】
前記傾斜係止部は、前記突条部を前記所定角度で差し込み可能なスリットを形成していることを特徴とする請求項１または２に記載の照明装置。
【請求項４】
前記所定角度は、前記垂線を中心に、前記筐体の長手方向一端側に傾く角度を正値、これと反対側に傾く角度を負値とした場合、＋３０°〜＋５０°または−３０°〜−５０°であることを特徴とする請求項１〜３のいずれか一項に記載の照明装置。
【請求項５】
前記所定角度は、前記垂線を中心に、前記筐体の長手方向一端側に傾く角度を正値、これと反対側に傾く角度を負値とした場合、＋４５°または−４５°であることを特徴とする請求項４に記載の照明装置。
【手続補正２】
【補正対象書類名】明細書
【補正対象項目名】発明の名称
【補正方法】変更
【補正の内容】
【発明の名称】照明装置
【手続補正３】
【補正対象書類名】明細書
【補正対象項目名】０００１
【補正方法】変更
【補正の内容】
【０００１】
本発明は、照明装置に関するものである。
【手続補正４】
【補正対象書類名】明細書
【補正対象項目名】０００２
【補正方法】変更
【補正の内容】
【０００２】
従来、特許文献１に開示されている照明具用基盤（図２３参照）が知られている。この照明具用基盤では、平面型放電管と、この平面型放電管に電気的に接続された点灯用回路基板とを、シャーシに貼り付けることによって、薄くて取り扱いが容易なモジュールとして機能するランプユニットを構成している。
【手続補正５】
【補正対象書類名】明細書
【補正対象項目名】０００３
【補正方法】変更
【補正の内容】
【０００３】
この種のランプユニットでは、特許文献１の第７頁に開示されているように、筐体とカバーとからなり扁平形状をなす薄箱内に収容されている。例えば、図２５に示すように、従来の照明装置２００では、筐体２０２にカバー２０１を取り付けるパターンとして以下の方法がある。第１の方法として、筐体２０２の側壁外面に係止爪２０２ｂを設け、カバー２０１の側壁に開口された係止穴２０１ａに、この係止爪２０２ｂを係止させることによって、筐体２０２にカバー２０１が固定される。あるいは、第２の方法として、カバー２０１の側壁内面に係止爪２０１ｂを設け、筐体２０２の側壁に開口された係止穴２０２ａに、この係止爪２０１ｂを係止させることによって、筐体２０２にカバー２０１が固定される。いずれの方法も、筐体２０２にカバー２０１を被せる際に、双方あるいはいずれか一方の部品の弾性変形を利用し、係止完了後には、各部品が弾性復帰して元の形状を保つという性質を利用している。
【手続補正６】
【補正対象書類名】明細書
【補正対象項目名】０００４
【補正方法】削除
【補正の内容】
【手続補正７】
【補正対象書類名】明細書
【補正対象項目名】０００５
【補正方法】変更
【補正の内容】
【０００５】
【特許文献１】意匠登録公報１２８７８５４号
【手続補正８】
【補正対象書類名】明細書
【補正対象項目名】０００６
【補正方法】変更
【補正の内容】
【０００６】
ところが、図２５に示すような従来の照明装置２００の場合には、修理等のために、カバー２０１を何度も取り外すと、これらの部品の弾性復帰が保たれなくなることがある。特に、自動車に搭載されるような場合には、この照明装置を天井に設置するため、自動車運転時の振動に伴ってカバー２０１が外れ、その自重によってカバー２０１が落下する恐れがある。
【手続補正９】
【補正対象書類名】明細書
【補正対象項目名】０００７
【補正方法】変更
【補正の内容】
【０００７】
また、この種の照明装置においては、特に乗用車等の狭い空間内に設置されるという要求から、コンパクトな構成を要求されていた。また、従来と同様な性能を維持しながら、構成する部品点数を可能な限り削減したいという問題があった。
【手続補正１０】
【補正対象書類名】明細書
【補正対象項目名】０００８
【補正方法】削除
【補正の内容】
【手続補正１１】
【補正対象書類名】明細書
【補正対象項目名】０００９
【補正方法】変更
【補正の内容】
【０００９】
そこで、本発明は、自動車の天井等に設置されても振動に伴うカバー体の落下を防止しかつコンパクトで部品点数を削減することが可能な照明装置を提供することを目的とする。
【手続補正１２】
【補正対象書類名】明細書
【補正対象項目名】００１０
【補正方法】変更
【補正の内容】
【００１０】
本発明のうち、請求項１に記載の照明装置は、
略長方形状に形成されて被取付面に取付可能な外側面を有する長板部およびこの外側面の裏側方向に向け前記長板部の短手方向両側に前記長板部の長手方向に沿って立設される２枚の板壁部を有する薄板状の筐体と、
前記長板部の前記外側面の裏側である内側面に設けられ照明光を発する薄型発光体と、
前記照明光が透光可能な窓部および前記２枚の板壁部の外側に並行に設けられる側壁部を有し前記筐体とともに短冊状の扁平薄箱形状をなして前記薄型発光体を収容可能に前記取付面を除く前記筐体の周囲を覆うカバー体と、を備え、
前記短冊状の一端側に位置する固定手段として、前記カバー体の長手方向一端側に位置する前記側壁部の一部に前記板壁部側に向けて突出する突条部をその線条方向が前記長板部の内側面の垂線に対して所定角度で傾斜するように設けるとともに、前記筐体の長手方向一端側に位置する前記板壁部の一部に前記突条部を係止可能な傾斜係止部を前記所定角度と同じ角度で傾斜するように設け、
前記固定手段による前記突条部および前記傾斜係止部が互いに係合することにより前記筐体の一端側と前記カバー体の一端側とが仮固定された後、前記筐体と前記カバー体とを本固定可能にする別の固定手段を、前記カバー体の他端側および前記筐体の他端側に設ける、ことを特徴とする。
【手続補正１３】
【補正対象書類名】明細書
【補正対象項目名】００１１
【補正方法】変更
【補正の内容】
【００１１】
本発明によれば、固定手段による突条部および傾斜係止部が互いに係合することにより筐体の一端側とカバー体の一端側とが仮固定された後、別の固定手段により筐体とカバー体とを本固定可能にした。この構成によれば、突条部および傾斜係止部が筐体の板壁部に対して傾斜しているので、別の固定手段によって本固定が完了した後、カバー体が外れることはない。また、両端側にネジ固定を行う場合と比較して、ネジが節約できるとともに、ネジ取付部分に必要なスペースをとる必要がないため、コンパクトな照明装置とすることができる。
【手続補正１４】
【補正対象書類名】明細書
【補正対象項目名】００１２
【補正方法】変更
【補正の内容】
【００１２】
また、請求項２に記載の照明装置は、
略長方形状に形成されて被取付面に取付可能な外側面を有する長板部およびこの外側面の裏側方向に向け前記長板部の短手方向両側に前記長板部の長手方向に沿って立設される２枚の板壁部を有する薄板状の筐体と、
前記長板部の前記外側面の裏側である内側面に設けられ照明光を発する薄型発光体と、
前記照明光が透光可能な窓部および前記２枚の板壁部の外側に並行に設けられる側壁部を有し前記筐体とともに短冊状の扁平薄箱形状をなして前記薄型発光体を収容可能に前記取付面を除く前記筐体の周囲を覆うカバー体と、を備え、
前記短冊状の一端側に位置する固定手段として、前記筐体の長手方向一端側に位置する前記板壁部の一部に前記側壁部側に向けて突出する突条部をその線条方向が前記長板部の内側面の垂線に対して所定角度で傾斜するように設けるとともに、前記カバー体の長手方向一端側に位置する前記側壁部の一部に前記突条部を係止可能な傾斜係止部を前記所定角度と同じ角度で傾斜するように設け、
前記固定手段による前記突条部および前記傾斜係止部が互いに係合することにより前記筐体の一端側と前記カバー体の一端側とが仮固定された後、前記筐体と前記カバー体とを本固定可能にする別の固定手段を、前記カバー体の他端側および前記筐体の他端側に設ける、ことを特徴とする。
【手続補正１５】
【補正対象書類名】明細書
【補正対象項目名】００１３
【補正方法】変更
【補正の内容】
【００１３】
本発明によれば、固定手段による突条部および傾斜係止部が互いに係合することにより筐体の一端側とカバー体の一端側とが仮固定された後、別の固定手段により筐体とカバー体とを本固定可能にした。この構成によれば、突条部および傾斜係止部が筐体の板壁部に対して傾斜しているので、別の固定手段によって本固定が完了した後、カバー体が外れることはない。また、両端側にネジ固定を行う場合と比較して、ネジが節約できるとともに、ネジ取付部分に必要なスペースをとる必要がないため、コンパクトな照明装置とすることができる。
【手続補正１６】
【補正対象書類名】明細書
【補正対象項目名】００１４
【補正方法】変更
【補正の内容】
【００１４】
また、請求項３に記載の照明装置は、請求項１または２に記載の照明装置に加えて、
前記傾斜係止部は、前記突条部を前記所定角度で差し込み可能なスリットを形成している、ことを特徴とする。
【手続補正１７】
【補正対象書類名】明細書
【補正対象項目名】００１５
【補正方法】変更
【補正の内容】
【００１５】
この発明によれば、傾斜係止部は、突条部を所定角度で差し込み可能なスリットを形成した。この構成によれば、突条部がスリットによって固定されるので、カバー体のみを無理に持ち上げて取り外そうとしても、突条部とスリットとによる係止状態が保たれるため、容易にはカバー体が外れない。
【手続補正１８】
【補正対象書類名】明細書
【補正対象項目名】００１６
【補正方法】削除
【補正の内容】
【手続補正１９】
【補正対象書類名】明細書
【補正対象項目名】００１７
【補正方法】削除
【補正の内容】
【手続補正２０】
【補正対象書類名】明細書
【補正対象項目名】００１８
【補正方法】変更
【補正の内容】
【００１８】
また、請求項４に記載の照明装置は、請求項１〜３のいずれか一項に記載の照明装置に加えて、
前記所定角度は、前記垂線を中心に、前記筐体の長手方向一端側に傾く角度を正値、これと反対側に傾く角度を負値とした場合、＋３０°〜＋５０°または−３０°〜−５０°である、ことを特徴とする。
【手続補正２１】
【補正対象書類名】明細書
【補正対象項目名】００１９
【補正方法】削除
【補正の内容】
【手続補正２２】
【補正対象書類名】明細書
【補正対象項目名】００２０
【補正方法】削除
【補正の内容】
【手続補正２３】
【補正対象書類名】明細書
【補正対象項目名】００２１
【補正方法】変更
【補正の内容】
【００２１】
また、請求項５に記載の照明装置は、請求項４に記載の照明装置に加えて、
前記所定角度は、前記垂線を中心に、前記筐体の長手方向一端側に傾く角度を正値、これと反対側に傾く角度を負値とした場合、＋４５°または−４５°であることを特徴とする。
【手続補正２４】
【補正対象書類名】明細書
【補正対象項目名】００２２
【補正方法】削除
【補正の内容】
【手続補正２５】
【補正対象書類名】明細書
【補正対象項目名】００２３
【補正方法】変更
【補正の内容】
【００２３】
以上の発明の照明装置によれば、自動車の天井等に設置されても振動に伴うカバー体の落下を防止することが可能となる。これに加えてコンパクトで部品点数を削減することが可能な照明装置を提供することが可能となる。
【手続補正２６】
【補正対象書類名】明細書
【補正対象項目名】００２８
【補正方法】変更
【補正の内容】
【００２８】
点灯用回路基板７５の裏面７５ｂとシャーシ７１の内面７１ｅとの間には、ＰＥＴ（ポリエチレンテレフタレート）性の基板固定シート７４と、絶縁シート７２とが介在する。絶縁シート７２に開口された一対の係止穴７２ａ、７２ａに、シャーシ７１に形成された一対のダボ７１ｄ、７１ｄに係止して絶縁シート７２を位置決めする。その後、絶縁シート７２に形成されている矩形穴７２ｂ内に収まるように、両面テープからなる基板固定シート７４をシャーシ７１の内面７１ｅに貼り付け、さらに点灯用回路基板７５の裏面７５ｂに貼り付ける(図７参照）。なお、点灯用回路部品７５ａの表面７５ａには、種々の回路部品および回路パターン（図示しない）が形成されており、平面型放電管７６と点灯用回路基板７５とは、リード線を介して（図示しない）電気的に接続されている。また、絶縁シート７２の両側に形成された一対の絶縁片７２ｃ、７２ｃは、点灯用回路基板７５の帳面７５ａ側に設置されているトランス等の部品と、これらに隣設するシャーシ壁７１ａとの絶縁性を確保するために設けられている。また、平面型放電管７６の表面に形成された薄膜状の透明電極側を高圧側とし、裏面側に形成された薄膜状電極側を低圧側として、シャーシ７１と接続し、照明器具のマイナス側として設置される。
【手続補正２７】
【補正対象書類名】明細書
【補正対象項目名】００３８
【補正方法】変更
【補正の内容】
【００３８】
（３）点灯用回路基板１２を放熱用部材としてのシャーシ１１の表面７１ｅ側に配置し、シャーシ７１に別部品として取付部材（ＰＥＴ（ポリエチレンテレフタレート）性の基板固定シート７４と、絶縁シート７２）を介して取り付けたので、平面型放電管７６からシャーシ７１に放熱された熱が、熱伝導により、直接、点灯用回路基板７２に伝わることを防止することができるとともに、絶縁性を確保することができる。ひいては、点灯用回路基板１２に配置されている回路部品１２ａ、１２ｂ、１２ｃ、１２ｄの温度上昇の防止を図ることができるとともに、誤動作の防止や回路部品の寿命を長く保つことが可能となる。
【手続補正２８】
【補正対象書類名】明細書
【補正対象項目名】００５８
【補正方法】変更
【補正の内容】
【００５８】
次に、前記実施形態等から把握される技術的思想を列挙する。
（Ａ）少なくとも光源（平面型放電管７６）を内部に備えた筐体（シャーシ７１，７１’）からなるランプユニット（７０，７０’）と、前記ランプユニットの内部を覆うカバー体（１０１，１０１’）とを備える照明装置において、
前記カバー体（１０１，１０１’）の側壁内面および前記筐体（７１）の側壁のいずれか一方に設けられた係止部と、
前記カバー体（１０１，１０１’）の側壁内面および前記筐体（７１）の側壁のうち、前記係止部が設けられていない他の一方に設けられた被係止部と、を備え、
前記係止部と前記被係止部とを互いに係止することによって、前記ランプユニットの基端側が前記カバー体と一次固定されるとともに、
前記ランプユニットの他端側は、別の固定手段によって固定されることによって前記カバー体と前記ランプユニットとの固定が完了する、
ことを特徴とする照明装置（１００、１００’）。
【手続補正２９】
【補正対象書類名】明細書
【補正対象項目名】００５９
【補正方法】変更
【補正の内容】
【００５９】
（Ｂ）前記係止部は前記カバー体（１０１，１０１’）の側壁内面に設けられるとともに、前記被係止部は前記筐体（７１）の側壁に設けられることを特徴とする前記技術的思想（Ａ）に記載の照明装置。